(57)【特許請求の範囲】
【請求項１】
希釈薬液が排出される排出口が設けられた薬液希釈用タンクと、この薬液希釈用タンク内への希釈用液の供給および停止を行なう開閉弁と、前記薬液希釈用タンク内に薬液を一定量づつ供給する定量ポンプと、前記薬液希釈用タンク内に貯留されている希釈薬液に浮かべられ、その液位の変化によって上下動させられるフロートと、このフロートが一端部に取り付けられるとともに、他端部が前記開閉弁に揺動自在に取り付けられて、前記フロートの上下動に伴って前記開閉弁の開閉を行なう揺動アームと、この揺動アームに取り付けられて、前記開閉弁から排出される希釈用液が一時的に貯留される補助容器と、この補助容器に両端が下方へ向けられて取り付けられ、かつ、その一端部が前記補助容器の内部底面に対向位置させられているとともに、他端部が前記補助容器の外部に位置させられたＵ字管と、前記開閉弁の上流側から希釈用液を分岐させて、この希釈用液を作動液として前記定量ポンプへ送り込む作動液供給管と、この作動液供給管の途中に設けられるとともに、前記揺動アームの下降動作に伴って前記作動液供給管を薬液希釈用タンクへ開放することにより、前記定量ポンプへの作動液の供給を停止させるポンプ駆動制御弁と、前記揺動アームに取り付けられ、この揺動アームの揺動動作に伴って前記排出口の開閉をなす希釈薬液供給制御弁とを備えていることを特徴とする薬液希釈装置。
【請求項２】
前記薬液希釈用タンクの前記排出口には、この排出口から排出された希釈薬液を所定量貯留するとともに、この希釈薬液を後段の機器へ徐々に供給する希釈薬液供給手段が連設されていることを特徴とする請求項１に記載の薬液希釈装置。
【発明の詳細な説明】
【０００１】
【発明の属する技術分野】
本発明は、薬液希釈装置に係わり、特に、薬液や希釈用液の供給量を安定化させることにより、生成される希釈薬液の濃度精度を高めることができ、かつ、簡素な構成を有する薬液希釈装置に関するものである。
【０００２】
【従来の技術】
従来、薬液希釈装置として、たとえば、図４に示す構造のものが知られている。
この図に符号１で示す従来の薬液希釈装置は、希釈薬液Ａが生成貯留される薬液希釈用タンク２と、この薬液希釈用タンク２内への希釈用液Ｂの供給および停止を行なう開閉弁３と、前記薬液希釈用タンク２内に薬液Ｃを一定量づつ供給する定量ポンプ４と、前薬液希釈用タンク２内に貯留されている希釈薬液Ａに浮かべられ、その液位の変化によって上下動させられるフロート５と、このフロート５が一端部に取り付けられるとともに、他端部が前記開閉弁３に揺動自在に取り付けられて、前記フロート５の上下動に伴って前記開閉弁３の開閉を行なう揺動アーム６と、前記開閉弁３の上流側に設けられて、この開閉弁３を介して供給される希釈用液Ｂの供給量を測定するとともに、この希釈用液の供給量が所定量に至った時点で、前記定量ポンプ４へ駆動信号を出力してこの定量ポンプ４を駆動することにより、前記薬液希釈用タンク２内に所定量の薬液Ｃを注入させる流量計７と、前記薬液希釈用タンク２から排出される希釈薬液Ａを所定量貯留するとともに、この希釈薬液Ａを後段の機器へ供給する希釈薬液供給タンク８が連設された構成となっている。
【０００３】
この希釈薬液供給タンク８は、希釈薬液排出管９によって、前記薬液希釈用タンク２へ連通させられており、この希釈薬液排出管９の下流側の端部に装着された開閉弁１０と、この開閉弁１０に揺動自在に装着されてこの開閉弁１０の開閉を行なう揺動アーム１１と、この揺動アーム１１の揺動端部に取り付けられて、前記希釈薬液供給タンク８内の希釈薬液Ａの液位の変化に応じて上下動させられることにより、前記揺動アーム１１の揺動をなすフロート１２とによって構成されいる。
【０００４】
そして、このように構成された従来の薬液希釈装置１は、たとえば、薬液Ｃとして防錆剤を用い、この防錆剤を、薬液希釈用タンク２において希釈用液Ｂとしての水によって所定濃度に希釈した後に、前記希釈薬液供給タンク８を経てクーリングタワー等に送り込むようにしたものであり、その作用はつぎのとおりである。
【０００５】
まず、クーリングタワーへの希釈薬液Ａの供給が行なわれて希釈薬液供給タンク８内の希釈薬液Ａの液位が下がると、この液位とともにフロート１２が下降して前記揺動アーム１１が下方へ向けて揺動させられることにより、この揺動アーム１１が取り付けられている開閉弁１０が開放されて、前記薬液希釈用タンク２内の希釈薬液Ａが希釈薬液排出管９を介して希釈薬液供給タンク８へ供給され、この希釈薬液供給タンク８内の液位が所定位置まで上昇させられた時点で、この液位とともに上昇させられるフロート１２の上昇および揺動アーム１１の上方への揺動により前記開閉弁１０が封止されて、前記希釈薬液供給タンク８への希釈薬液Ａの供給が停止される。
【０００６】
このようにして、薬液希釈装置１からの希釈薬液供給タンク８への希釈薬液Ａの供給が行なわれるのに伴って、前記薬液希釈用タンク２内の希釈薬液Ａの液位が低下し、その液位の低下に伴い、フロート５が下降して揺動アーム６が下方へ向けて揺動させられるとともに開閉弁３が開放されて、希釈用液Ｂが前記薬液希釈用タンク２内へ供給される。
【０００７】
そして、この希釈用液Ｂの供給量が流量計７によって計測されており、その計測値が所定値に至った時点で、前記フロート５の上昇に伴う揺動アーム６の上方への揺動動作によって前記開閉弁３が封止されて希釈用液Ｂの供給が停止されるとともに、前記定量ポンプ４へ駆動信号が出力されて、所定量の薬液Ｃが前記薬液希釈用タンク２へ供給され、これによって、薬液希釈用タンク２内に所定量の薬液Ｃと所定量の希釈用液Ｂとが供給されて、所定濃度の希釈薬液Ａが生成される。
【０００８】
【発明が解決しようとする課題】
ところで、このような従来の薬液希釈装置１においては、薬液希釈用タンク２の液位が下限に至って開閉弁３による希釈用液Ｂの供給が開始された直後や、前記液位が上限に近づき希釈用液Ｂの供給が停止される直前は、開閉弁３からの希釈用液Ｂの流出量が微量であって、その流量を測定する流量計７の始動流量以下の流量に保持されてしまう領域がある。
【０００９】
これらの領域においては、実際には希釈用液Ｂの供給が継続して行なわれているにも拘わらず流量計７による計測が行なわれず、したがって、希釈用液Ｂの実際の供給量と計測値との間にずれが生じ、生成される希釈薬液Ａの濃度にばらつきが生じてしまうといった問題が生じる。
【００１０】
また、薬液希釈装置１の薬液希釈用タンク２は、希釈薬液供給タンク８に常時連通させられていることから、希釈薬液供給タンク８の開閉弁１０の状態が薬液希釈用タンク２内の液位の上昇形態に影響を与えることから、この点からも、薬液希釈用タンク２への希釈用液Ｂの供給量のばらつきを生じさせて、生成される希釈薬液Ａの濃度に影響を与えてしまう。
【００１１】
さらに、流量計７によって計測した流量を電気信号に変換するとともに、前記定量ポンプ４へ駆動信号として出力する形態であるから、流量計７を必要とするばかりでなく、電気制御回路を必要とすることから、構成が煩雑で高価な設備とならざるを得ない。
【００１２】
本発明は、このような従来の問題点に鑑みてなされたもので、
【００１３】
【課題を解決するための手段】
薬液や希釈用液の供給量を安定させて、均一な濃度の希釈薬液を生成することができ、かつ、この安定した希釈液の生成を簡便な構造で達成することのできる薬液希釈装置を提供することを解決すべき課題とする。
【００１４】
本発明の請求項１に記載の薬液希釈装置は、前述した課題を解決するために、希釈薬液が排出される排出口が設けられた薬液希釈用タンクと、この薬液希釈用タンク内への希釈用液の供給および停止を行なう開閉弁と、前記薬液希釈用タンク内に薬液を一定量づつ供給する定量ポンプと、前記薬液希釈用タンク内に貯留されている希釈薬液に浮かべられ、その液位の変化によって上下動させられるフロートと、このフロートが一端部に取り付けられるとともに、他端部が前記開閉弁に揺動自在に取り付けられて、前記フロートの上下動に伴って前記開閉弁の開閉を行なう揺動アームと、この揺動アームに取り付けられて、前記開閉弁から排出される希釈用液が一時的に貯留される補助容器と、この補助容器に両端が下方へ向けられて取り付けられ、かつ、その一端部が前記補助容器の内部底面に対向位置させられているとともに、他端部が前記補助容器の外部に位置させられたＵ字管と、前記開閉弁の上流側から希釈用液を分岐させて、この希釈用液を作動液として前記定量ポンプへ送り込む作動液供給管と、この作動液供給管の途中に設けられるとともに、前記揺動アームの下降動作に伴って前記作動液供給管を薬液希釈用タンクへ開放することにより、前記定量ポンプへの作動液の供給を停止させるポンプ駆動制御弁と、前記揺動アームに取り付けられ、この揺動アームの揺動動作に伴って前記排出口の開閉をなす希釈薬液供給制御弁とを備えていることを特徴としている。
【００１５】
また、本発明の請求項２に記載の薬液希釈装置は、請求項１において、前記薬液希釈用タンクの前記排出口には、この排出口から排出された希釈薬液を所定量貯留するとともに、この希釈薬液を後段の機器へ徐々に供給する希釈薬液供給手段が連設されていることを特徴としている。
【００１６】
【発明の実施の形態】
以下、本発明の一実施形態について図１ないし図３に基づき説明する。
なお、以下の説明中図４と共通する部分については同一符号を用いて説明を簡略化する。
【００１７】
これらの図において符号２０は、本実施形態に係わる薬液希釈装置を示し、希釈薬液Ａが排出される排出口２１が設けられた薬液希釈用タンク２２と、この薬液希釈用タンク２２内への希釈用液Ｂの供給および停止を行なう開閉弁２３と、前記薬液希釈用タンク２２内に薬液Ｃを一定量づつ供給する定量ポンプ２４と、前記薬液希釈用タンク２２内に貯留されている希釈薬液Ａに浮かべられ、その液位の変化によって上下動させられるフロート２５と、このフロート２５が一端部に取り付けられるとともに、他端部が前記開閉弁２３に揺動自在に取り付けられて、前記フロート２５の上下動に伴って前記開閉弁２３の開閉を行なう揺動アーム２６と、この揺動アーム２６に取り付けられて、前記開閉弁２３から排出される希釈用液Ｂが一時的に貯留される補助容器２７と、この補助容器２７に両端が下方へ向けられて取り付けられ、かつ、その一端部が前記補助容器２７の内部底面に対向位置させられているとともに、他端部が前記補助容器２７の外部に位置させられたＵ字管２８と、前記開閉弁２３の上流側から希釈用液Ｂを分岐させて、この希釈用液Ｂを作動液Ｄとして前記定量ポンプ２４へ送り込む作動液供給管２９と、この作動液供給管２９の途中に設けられるとともに、前記揺動アーム２６の下降動作に伴って前記作動液供給管２９を薬液希釈用タンク２２へ開放することにより、前記定量ポンプ２４への作動液Ｄの供給を停止させるポンプ駆動制御弁３０と、前記揺動アーム２６に取り付けられ、この揺動アーム２６の揺動動作に伴って前記排出口２１の開閉をなす希釈薬液供給制御弁３１とを備え、前記薬液希釈用タンク２２の前記排出口２１には、この排出口２１から排出された希釈薬液Ａを所定量貯留するとともに、この希釈薬液Ａを後段の機器へ供給する希釈薬液供給手段３２が連設された概略構成となっている。
【００１８】
ついで、これらの詳細について説明すれば、前記排出口２１は、前記薬液希釈用タンク２２の底部で、前記揺動アーム２６の揺動面内に位置するように設けられており、前述した希釈薬液排出管９を介して前記希釈薬液供給手段３２へ連通させられている。
【００１９】
前記開閉弁２３は、前記薬液希釈用タンク２２の側壁内面に固定され、かつ、この側壁を貫通して外部へ突出させられており、この外部へ突出させられた部分に希釈用液Ｂとしての水を供給するための水道管３３が接続されている。
【００２０】
前記定量ポンプ２４は、前記作動液供給管２９を経て供給される作動液Ｄの圧力が解放された際に吸引工程を開始して、その内部に、薬液タンク３４に貯留されている薬液Ｃを一定量吸引し、前記作動液Ｄの圧力が加わった際に、前記吸引した薬液Ｃを前記薬液希釈用タンク２２へ吐出することにより、この薬液希釈用タンク２２へ一定量の薬液Ｃを供給するようになっている。
【００２１】
また、前記揺動アーム２６は、本実施形態においては、前記開閉弁２３に揺動自在に取り付けられた第１アーム２６ａと、この第１アーム２６ａの揺動端部に取り付けられて、前記フロート２５が上下動可能に取り付けられたフロート支持部材３５と、このフロート支持部材３５から前記開閉弁２３の下方へ延設され、前記補助容器２７が取り付けられた第２アーム２６ｂとによって構成されており、前記フロート支持部材３５には、前記フロート２５に一体に固着された連結ロッド３６が上下方向に摺動可能に貫通させられているとともに、図２に示すように、この連結ロッド３６に螺着された一対の固定ナット３７が前記フロート支持部材３５の上下面に当接させられることにより、前記フロート２５がフロート支持部材３５に固定され、かつ、前記一対の固定ナット３７の位置調整によって、前記フロート２５とフロート支持部材３５との間隔、すなわち、前記フロート２５の上下方向における位置調整が行なわれるようになっている。
【００２２】
前記補助容器２７は上方が開口されているとともに、その開口部が、前記開閉弁２３の吐出口に対向させられており、前記開閉弁２３から排出される希釈用液Ｂが、一旦、この補助容器２７へ注液された後に薬液希釈用タンク２２内へ供給されるようになっている。
【００２３】
また、前記補助容器２７に取り付けられるＵ字管２８は、その一端部、が前述したように、前記補助容器２７の内部底面に対向するように位置させられているとともに、その他端部が、前記補助容器２７の底壁を貫通して、補助容器２７の下方へ突出させられ、さらに、上方の湾曲部が補助容器３７の開口端縁よりも若干低く位置させられている。
【００２４】
このようにして取り付けられたＵ字管２８により、補助容器２７内に注入された希釈用液Ｂは、その水位が補助容器２７の開口縁部近傍に至るまで補助容器２７から溢れることはなく、この補助容器２７内に貯留され、また、前記水位が開口縁部近傍に至った時点で、補助容器２７内の希釈用液Ｂが前記Ｕ字管２８を介して補助容器２７の下方へ排出されるが、前記開閉弁２３からの給液量が多い場合には、希釈用液Ｂは、前記補助容器２７の上方から溢れ、一方、開閉弁２３からの給液量が少ない場合には、前記Ｕ字管２８からの排液によって、前記補助容器２７内の液位が低下するようになされている。
【００２５】
前記ポンプ駆動制御弁３０は、前記作動液供給管２９の途中に設けられるとともに、前記薬液希釈用タンク２２に固定された制御弁本体３０ａと、前記第２アーム２６ｂに装着されて、この第２アーム２６ｂの揺動動作に伴って、前記弁本体３０ａの開閉を行なう弁体３０ｂとによって構成されている。
【００２６】
そして、前記フロート２５が所定の高さまで上昇させられた際に、この弁体３０ｂが前記第２アーム２６ｂによって弁本体３０ａへ向けて移動させられることにより、このポンプ駆動制御弁３０が封止され、これによって、前記定量ポンプ２４と水道管３３とが、前記作動液供給管２９を介して連通させられるとともに、前記定量ポンプ２４に作動液Ｄが供給されて、この定量ポンプ２４が吐出動作を行なうようになされ、また、前記フロート２５が所定高さよりも下降させられた際に、前記弁体３０ｂによってポンプ駆動制御弁３０が開放されるとともに、前記定量ポンプ２４への作動液Ｄの供給が停止されて、この定量ポンプ２４が吸入動作を行なって、所定量の薬液Ｃを吸引するようになされている。
【００２７】
また、前記希釈薬液供給制御弁３１は、前記第１アーム２６ａに吊設されており、この第１アーム２６ａの揺動動作によって上下動させられることにより、、前記排出口２１の開閉を行なうようになされている。
【００２８】
そして、前記希釈薬液供給手段３２は、従来と同様に、希釈薬液供給タンク８、開閉弁１０、揺動アーム１１、および、フロート１２とによって構成されている。
【００２９】
ついで、このように構成された本実施形態に係わる薬液希釈装置２０の作用について説明する。
まず、希釈薬液供給タンク８からの希釈薬液Ａの供給が継続されて、この希釈薬液供給タンク８内の液位が所定高さまで低下すると、前記フロート１２および揺動アーム１１の作用によって前記開閉弁１０が開放されることにより、前記薬液希釈用タンク２２内の希釈薬液Ａが希釈薬液排出管９を介して希釈薬液供給タンク８へ供給される。
【００３０】
そして、この希釈薬液供給タンク８への希釈薬液Ａの供給は、この希釈薬液供給タンク８内の液位の上昇によって前記揺動アーム１１が上方へ揺動させられ、前記液位が所定高さまで上昇させられた時点で、前記揺動アーム１１によって前記開閉弁１０が封止されることによって停止させられる。
【００３１】
一方、このような希釈薬液供給タンク８への希釈薬液Ａの供給が所定回数行なわれることに伴って、前記薬液希釈用タンク２２内の希釈薬液量が減少し、その液位の降下に追従して前記フロート２５が漸次下降するとともに、揺動アーム２６が下方へ向けて揺動させられ、前記液位が所定高さに至った時点で、前記揺動アーム２６によって前記開閉弁２３が徐々に開放されて、薬液希釈用タンク２２へ、希釈用液Ｂである水の供給が、前記水道管３３および前記開閉弁２３を経て開始される。
【００３２】
このようにして前記開閉弁２３から供給された希釈用液Ｂは、前記補助容器２７を満たした後に、上部開口から溢れて薬液希釈用タンク２２内へ落下してこの薬液希釈用タンク２２に貯留されるが、希釈用液Ｂの供給開始直後の微量の希釈用液Ｂが前記補助容器２７内に貯留され、この補助容器２７に貯留された希釈用液Ｂの重量が、前記第２アーム２６ｂを介して前記フロート２５へ作用する。
【００３３】
この補助容器２７内の希釈用液Ｂの重量がフロート２５へ作用すると、このフロート２５が、その浮力に相当する通常の沈み量以上に沈降させられることとなり、これに伴って、前記揺動アーム２６すなわち第１アーム２６ａの揺動量が大きくなるとともに前記開閉弁２３の開放速度が加速され、この開閉弁２３からの希釈用液Ｂの供給量が増加しながら遂には最大給液量に達してより大きな流速となり、その流体圧が、前記揺動アーム２６（第２アーム２６ｂ）を介して前記フロート２５へ作用し、このフロート２５が、さらに、前述した沈み量以上に過剰に沈降させられ、前述した開閉弁２３の開放速度がさらに加速されとともに、この開閉弁２３からの給液量も急速に早められ、この結果、給液開始直後における給液量が速やかに所定量以上となされる。
【００３４】
一方、このような揺動アーム２６の急速な下方への揺動動作により、第１アーム２６ａに垂設されている希釈薬液供給制御弁３１も急速に下降させられて、その下方にある前記排出口２１を封止する。
【００３５】
そして、前述したように、前記フロート２５の沈降量が大きく、かつ、沈降速度が早いことから、前記希釈薬液供給制御弁３１による前記排出口２１の封止動作が迅速に行なわれ、これによって、前記希釈用液Ｂの供給開始とほぼ同時に前記排出口２１の封止が行なわれ、したがって、希釈用液Ｂの供給時における、薬液希釈用タンク２２からの希釈薬液Ａの流出が抑制され、希釈用液Ｂの供給開始後における前記薬液希釈用タンク２２内の液位の変化が、ほぼ開閉弁２３から供給される希釈用液Ｂの供給量のみに依存することとなる。
【００３６】
さらに、前述したような揺動アーム２６の揺動動作により、前記第２アーム２６ｂに装着されている弁体３０ｂが急速に下降させられ、これによって、前記ポンプ駆動制御弁３０が開放されて、前記作動液供給管２９が、その途中において前記ポンプ駆動制御弁３０を介して前記客液希釈用タンク２２へ開放される。
【００３７】
このように、前記作動液供給管２９が途中において薬液希釈用タンク２２へ開放されると、前記作動液供給管２９による前記定量ポンプ２４への作動液Ｄの供給が停止され、これによって、前記定量ポンプ２４が吸引工程へ移行させられて、前記薬液タンク３４から所定量の薬液Ｃが前記定量ポンプ２４内に吸引される。
【００３８】
一方、前記補助容器２７内に供給された希釈用液Ｂは、その水位がＵ字管２８の上部の湾曲部以上となった時点で、このＵ字管２８のサイフォン機能によってその外方側に位置させられている端部から補助容器２７の外部へ排出されるが、その時点における開閉弁２３からの給液量が多いことから、給液の過程において、前記補助容器２７内が満液状態に保持され、前述したフロート２５に対する押圧作用が継続される。
【００３９】
そして、前述したような希釈用液Ｂの給液の継続により、薬液希釈用タンク２２内の水位が漸次上昇させられ、前記フロート２５に作用する浮力が、前記補助容器２７内の希釈用液Ｂの重量と給液流による液圧との和以上となった時点から、前記フロート２５が反転上昇させられるとともに、前記揺動アーム２６が上方へ向けて揺動させられることにより、前記開閉弁２３が徐々に閉じられて前記補助容器２７に対する給液量が減少させられ、これによって、給液流の液圧によるフロート２５への押圧力が減少するとともに、前記補助容器２７内の希釈用液ＢがＵ字管２８によって補助容器２７の外部へ排出され、かつ、Ｕ字管２８からの排液量よりも、前記開閉弁２３から補助容器２７へ供給される希釈用液Ｂの供給量が少なくなった時点で、前記Ｕ字管２８による排液が急速に行なわれ、この結果、給液圧力と補助容器２７内の貯液の重量による前記フロート２５への押圧力が急速に解除される。
【００４０】
この結果、フロート２５を過剰に沈降させていた外力が解除され、この過剰沈降分に相当する浮力により、前記フロート２５が急速に上昇させられるとともに、揺動アーム２６が上方へ向けて急速に揺動させられることにより、前記開閉弁２３が急速に封止され、前記薬液希釈用タンク２２への希釈用液Ｂの供給が速やかに停止される。
【００４１】
この希釈用液Ｂの供給停止とともに、前記第２アーム２６ｂに取り付けられているポンプ駆動制御弁３０の弁体３０ｂが弁本体３０ａへ向けて急速に移動させられて、このポンプ駆動制御弁３０が急速に封止されることにより、前記定量ポンプ２４に作動液Ｄが供給され、これによって、この定量ポンプ２４に吸入されている一定量の薬液Ｃが薬液希釈用タンク２２へ吐出される。
【００４２】
ここで、前述したように、前記希釈薬液Ｂの供給開始後における薬液希釈用タンク２２内の液位の変動が、開閉弁２３から供給される希釈用液Ｂの供給量のみに依存すること、また、この開閉弁２３による希釈用液Ｂの供給停止が速やかに行なわれることから、前記薬液希釈用タンク２２への希釈用液Ｂの供給量が高精度に制御される。
【００４３】
そして、前記薬液希釈用タンク２２への薬液Ｃの定量供給が、所定量の薬液Ｃを吸入吐出する定量ポンプ２４によって行なわれることから、薬液Ｃの供給量も安定し、この結果、前述した希釈用液Ｂの供給量が高精度に制御されることと相俟って、安定した濃度の希釈薬液Ａが得られ、かつ、前記薬液Ｃの供給が、作動液Ｄの供給およびその停止といった機械的な制御方法によって作動させられる定量ポンプ２４によって行なわれることから、その構成が簡素化される。
【００４４】
一方、前述したような希釈用液Ｂの供給停止動作において、前記第１アーム２６ａに取り付けられている希釈薬液供給制御弁３１が急上昇させられ、これによって、前記排出口２１が開放されて、前記希釈薬液供給手段３２への希釈薬液Ａの供給が可能となされ、つぎの希釈動作に対して待機状態となされる。
【００４５】
このように、本実施形態に係わる薬液希釈装置２０においては、薬液Ｃの希釈時に、薬液Ｃと希釈用液Ｂの供給量が高精度に制御されて、安定した濃度の希釈薬液Ａが得られるとともに、これらの制御が機械的な作動によって実現されることにより、装置構成が簡素化される。
【００４６】
なお、前記実施形態において示した各構成部材の諸形状や寸法等は一例であって、設計要求等に基づき種々変更可能である。
【００４７】
たとえば、前記実施形態においては、薬液として防錆剤を例示したが、肥料やその他の薬液の希釈へも適用であり、また、希釈薬液供給手段３２の設置は任意であり、省略可能である。
【００４８】
【発明の効果】
以上説明したように、本発明の請求項１に係わる薬液希釈装置によれば、薬液の希釈時に、薬液と希釈用液の供給量を高精度に制御して、安定した濃度の希釈薬液をが得ることができるとともに、これらの制御を機械的な作動によって実現して、装置構成を簡素化することができるとともに、装置コストの低減を図ることができる。
【００４９】
また、本発明の請求項２に係わる薬液希釈装置によれば、希釈薬液を希釈薬液供給手段を介して行なうことにより、希釈工程と供給工程とを分離することにより、一定濃度の希釈薬液を安定供給することができる。
【図面の簡単な説明】
【図１】本発明の一実施形態の全体構成を示す概略図である。
【図２】本発明の一実施形態の要部の拡大縦断面図である。
【図３】本発明の一実施形態の動作を説明するための要部の拡大縦断面図である。
【図４】従来の薬液希釈装置の一構造例を示す概略図である。
【符号の説明】
２０  薬液希釈装置
２１  排出口
２２  薬液希釈用タンク
２３  開閉弁
２４  定量ポンプ
２５  フロート
２６  揺動アーム
２７  補助容器
２８  Ｕ字管
２９  作動液供給管
３０  ポンプ駆動制御弁
３１  希釈薬液供給制御弁
３２  希釈薬液供給手段
Ａ  希釈薬液
Ｂ  希釈用液
Ｃ  薬液
Ｄ  作動液
【図１】
0003690033.tif 000002
【図２】
0003690033.tif 000003
【図３】
0003690033.tif 000004
【図４】
0003690033.tif 000005